(57)【要約】      （修正有）【課題】モールデッドパルプ一体成型箱体の剛性を向上し、コストを低減できる紙折り層を備えた紙箱構造を提供する。【解決手段】モールデッドパルプ一体成型箱体１及び紙折り部品２から構成され、箱体は底板１１及び底板外周辺縁を囲む環状側壁板１２を備える。紙折り部品２は、箱体の底板に対応する形状の基板２１及び基板の周縁の各辺から折り曲げて立つ側板２２を設け、各側板には環状側壁板の角部に対応してスペースＳを設ける。紙折り部品の基板を箱体の底板上に重畳し、各側板は環状側壁板に接して重ねることにより、箱体の剛性を向上する。【選択図】図１
0003193974.tif 000002
【実用新案登録請求の範囲】
【請求項１】
紙折り層を備えた紙箱構造において、
モールデッドパルプ一体成型により、底板及び該底板外周辺縁を囲む環状側壁板を設けた箱体と、
該箱体の底板に対応する形状の基板及び該基板の周縁から折り曲げられて立つ側板を設け、その側板には箱体の環状側壁板の角に相対してスペースを設けた紙折り部品からなり、
該紙折り部品を該箱体内部に納置して、その基板を箱体の底板に接して重ねると共に側板を環状側壁板に接して組み合わせることにより、
強度を向上した、
ことを特徴とする紙折り層を備えた紙箱構造。
【請求項２】
前記箱体の底板と紙折り部品の基板は、相互に重ね合わせて合致する多辺形であり、該基板は多辺形の各側縁から延長して側板を設けると共に、各隣接する側板の間にスペースを設けてなる
ことを特徴とする請求項１記載の紙折り層を備えた紙箱構造。
【請求項３】
前記環状側壁板は、多辺形の各辺に沿う直平片及び各辺の角部を接続する導角片を具え、
前記紙折り部品の側板はこれらの直平片に対応し、それらの間のスペースは各導角片に対応して配置されてなる、
ことを特徴とする請求項２記載の紙折り層を備えた紙箱構造。
【請求項４】
前記紙折り部品の各側板と基板の間に折線を設けて、各側板は該折線から湾曲して該基板に直立することを特徴とする請求項３記載の紙折り層を備えた紙箱構造。
【請求項５】
前記箱体の底板及び環状側壁板との間にはこれらを接続する導角環段を設け、前記紙折り部品の各側板と折線の間には該導角環段に対応する折曲部を備え、各該折曲部は該導角環段に重ねて押さえることを特徴とする請求項４記載の紙折り層を備えた紙箱構造。
【請求項６】
前記紙折り層を備えた紙箱構造は、更に紙箱断面形状に対応する形状の仕切盤を具え、該仕切盤は該箱体内部に納置して、前記紙折り部品の側板を該仕切盤で押圧して支持することを特徴とする請求項１記載の紙折り層を備えた紙箱構造。
【請求項７】
前記仕切盤は、紙箱断面形状に対応する形状の支持板及び該支持板外周辺縁を囲む周辺側壁板を備え、該周辺側壁板の支持板の反対側の上縁外周には前記箱体の環状側壁板上縁に接する辺縁片を設けて、
該仕切盤の周辺側壁板により前記紙折り部品の側板を箱体の環状側壁板に対して押圧して支持する、
ことを特徴とする請求項６記載の紙折り層を備えた紙箱構造。
【請求項８】
前記箱体の環状側壁板の上縁には、凹陷環溝を設けて、前記仕切盤の辺縁片を該凹陷環溝に嵌合して、該環状側壁板と相互に組み合わせることを特徴とする請求項７記載の紙折り層を備えた紙箱構造。
【請求項９】
前記紙折り部品の厚みは、０.３５mm以上であることを特徴とする請求項１記載の紙折り層を備えた紙箱構造。
【請求項１０】
前記紙折り層を備えた紙箱構造は、更に蓋板を具え、該蓋板は該箱体に被せることを特徴とする請求項１記載の紙折り層を備えた紙箱構造。
【考案の詳細な説明】
【技術分野】
【０００１】
本考案は、紙箱構造に関するもので、特に一種の紙折り層を備えた紙箱構造である。
【背景技術】
【０００２】
環境汚染、気候変動、エネルギー枯渇等の問題が叫ばれるようになり、現代は環境保護に配慮した無汚染、リサイクルなどの長所を備えた商品を購入する。これらのうち、モールデッドはリサイクル紙と新聞紙から成るパルプを加圧成形したもので、モールデッドは環境保護、無汚染及びリサイクルの特性を備えるため、現在パッケージングボックスの中で高い評価を得ている。
【先行技術文献】
【特許文献】
【０００３】
【特許文献１】特開２０００−２９６８９２号公報
【考案の概要】
【考案が解決しようとする課題】
【０００４】
解決しようとする問題点は、現在のパッケージボックスは商品に合わせて箱体内に仕切盤を設置し、商品の主体及び部品を分けて収納する。しかし、モールデッドはパルプによって成形加圧するため、その成型品の側辺の厚みは、往々にして仕切盤を支持するには不足しやすい。もしくは主箱体の側辺が仕切盤を支持できるようにすると、主箱体は内、外箱を結合して制作する必要があるため、主箱体の製作コストが高くなりやすい点である。
上述の問題を改善することを本考案の課題とする。
【課題を解決するための手段】
【０００５】
本考案は、箱体及び紙折り部品から構成され、箱体はモールデッドパルプ一体成型して構成する。箱体は底板及び底板外周辺縁を囲む環状側壁板を備える。紙折り部品は箱体内部に納置し、紙折り部品は基板及び基板の各辺から伸びて折り立つ一対の側板を備え、各側板の両側辺間の、隣接する二側辺の間にスペースを設ける、基板は底板上に重畳し、各側板は環状側壁板に対応して配置することを最も主要な特徴とする。
【考案の効果】
【０００６】
本考案の紙折り層を備えた紙箱構造は、以下の利点がある。
【０００７】
一に、本考案の紙折り部品の外型は、完全に箱体に合わせ、両者の紙箱構造の厚みの合計が紙折り部品と箱体の厚みを加えたものになるため、紙箱構造に良好な構造強度を達成する。
【０００８】
二に、本考案は紙折り部品と箱体を相互に重ねるか、もしくは底板の補強及び環状側壁板の厚みで押さえるため、紙箱構造が製作コスト低減を達成する。
【０００９】
三に、環状側壁板と各側板が共に合わさり、辺縁片で支持することで紙箱構造が充分な厚みを備えて仕切盤を支持し、紙箱構造の仕切収納の効果を達成する。
【図面の簡単な説明】
【００１０】
【図１】本考案の紙箱構造の立体分解図である。
【図２】本考案の紙箱構造の別の一立体分解図である。
【図３】本考案の図２の局部拡大図である。
【図４】本考案の紙箱構造の断面指示図である。
【図５】本考案の紙箱構造の別の一断面指示図である。
【図６】本考案の図５の局部拡大図である。
【図７】本考案の紙箱の更に別の一立体分解図である。
【考案を実施するための形態】
【００１１】
紙箱構造の厚みは、紙折り部品と箱体の厚みを加えたもので成り立ち、紙箱構造が仕切盤を支持し、構造強度を向上し、コストを低減する紙折り層を備えた紙箱構造を提供することを本考案の一目的とする。
【００１２】
上述の目的を達成するため、本考案は紙折り層を備えた紙箱構造を提供する。箱体及び、紙折り部品からなる。
箱体は、モールデッドパルプ一体成型により形成し、該箱体は底板及び該底板外周辺縁を囲む環状側壁板を備える。
紙折り部品は該箱体内部に納置し、該紙折り部品は基板及び該基板の各辺から伸びて折り立つ側板を備え、各該側板の両側の間にはスペースを設けて、該基板は該底板上に重ね、該対の側板は該環状側壁板に対応して配置する。
【実施例】
【００１３】
本考案に関する詳細な説明及び技術内容を図式と共に、実施例を挙げて説明するが、それは本考案を制限するものではない。
【００１４】
図１から図７に示すとおり、本考案は紙折り層を備えた紙箱構造であって、その紙箱構造１０は箱体１、紙折り部品２及び仕切盤３から構成する。
【００１５】
図１、２、４に示すとおり、箱体１はモールデッドパルプを一体成型で構成し、箱体１は底板１１及び底板１１外周辺縁を囲んで設置する環状側壁板１２を備え、環状側壁板１２は複数の直平片１２１及び複数の導角片１２２を備え、各導角片１２２は隣接する二直平片１２１の間に形成し、底板１１及び環状側壁板１２との間に導角環段１３を備える。
【００１６】
図１から図６に示すとおり、紙折り部品２は箱体１内部に納置し、紙折り部品２は基板２１及び基板２１の各辺から伸びて折立てた側板２２があり、各側板２２の両側には二側辺２２１を備え、隣接する二側辺２２１の間にスペースＳを備え、基板２１を底板１１上に重ねて設置し、この一対の側板２２は環状側壁板１２に対応して配置する。
【００１７】
更に、本実施例の底板１１と基板２１は、それぞれ相互に多辺形板として重ねあわされ、基板２１は複数対の相対側２１１を備え、側板２２の数は複数対である。各対の側板２２は、それぞれ各対の相対側２１１から伸びて成形し、各側板２２は各直平片１２１に対応して配置し、各スペースＳは各導角片１２２に対応して配置する。
【００１８】
これらのうち、本実施例の底板１１と基板２１の形状は多辺形板に限定されず、本実施例の底板１１と基板２１の形状は円形板、橢円形板もしくは多辺形板等幾何形状板であってもよい。
【００１９】
他に各側板２２と基板２１の間に折線２３を備え、各側板２２は折線２３から折曲して基板２１に対して直立し、且つ各側板２２と折線２３の間に折曲部２４を備え、各折曲部２４は導角環段１３で押さえる。これらにおいて、紙折り部品２の厚みは０.３５mm以上であり、即ち、各側板２２と基板２１の厚みは、それぞれ０.３５mm以上である。
【００２０】
図１から図６に示すとおり、本考案の紙箱構造１０は更に仕切盤３を具える。仕切盤３は箱体１内部に納置し、各側板２３が仕切盤３を押さえて支える。この仕切盤３は支持板３１及び支持板３１外周辺縁を取巻く周辺側壁板３２を備え、周辺側壁板３２の支持板３１に遠い一側には辺縁片３２１が伸び、各側板２２は環状側壁板１２と周辺側壁板３２の間に配置し、各側板２３が辺縁片３２１で押さえて支持する。
【００２１】
図７に示すとおり、本考案の紙箱構造１０は、更に蓋板４を具える。蓋板４は箱体１に被さり、仕切盤３を蓋板４、箱体１及び紙折り部品２の間で隠すのに用いる。
【００２２】
図２から図６に示すとおり、本考案の紙箱構造１０の組立について、箱体１はモールデッドパルプを一体成型して構成し、箱体１は底板１１及び底板１１外周辺縁を囲む環状側壁板１２を備える。紙折り部品２は箱体１内部に納置し、紙折り部品２は基板２１及び基板２１の両側から伸び折り立てた側板２２を備え、各側板２２の両側には二側辺２２１を備え、隣接する二側辺２２１の間にスペースＳを備え、基板２１は底板１１上に折り重ね、各側板２２は環状側壁板１２に対応して配置する。これらに拠って、紙箱構造１０の厚みは紙折り部品２と箱体１の厚みを合計したものになり、紙箱構造１０の厚みが仕切盤３をしっかりと支持し、同時に紙箱構造１０は構造強度が高くなり、コストが削減できる。
【００２３】
図２から図６に示すのは、本考案の紙箱構造１０の使用状態であって、箱体１のモールデッドパルプを一体成型して構成し、それによって環状側壁板１２には厚み不足の問題があり、同時に箱体１の外型が直角に形成できない問題があるが、底板１１及び環状側壁板１２との間に導角環段１３を備え、環状側壁板１２は複数の直平片１２１及び複数の導角片１２２を備え、各導角片１２２は形成在隣接する二直平片１２１の間で形成する。
【００２４】
先ず、本考案は紙折り部品２と箱体１を相互に重畳するか、もしくは底板１１及び環状側壁板１２の厚みを補強して押さえる。但し、紙折り部品２は導角環段１３と導角片１２２の外型は合わせなければならない。そのため、各側板２２と折線２３の間には折曲部２４を備え、隣接する二側辺２２１の間にはスペースＳを備える。基板２１は底板１１上に重ね、各折曲部２４が導角環段１３を押さえ、各側板２２は各直平片１２１に対応して配置する。各スペースＳは各導角片１２２に対応して配置し、紙折り部品２の外型は完全に箱体１に合わさり、紙箱構造１０の厚みは紙折り部品２と箱体１の厚みを加えたものになるため、紙箱構造１０は良好な構造強度を備える。
【００２５】
その他、公知のモールデッド箱体の多くは、内、外箱を結合して製作するが、本考案は紙折り部品２と箱体１を相互に重ねるか、もしくは底板１１の補強及び環状側壁板１２の厚みで押さえるため、紙箱構造１０は製作コスト低減を達成する。
【００２６】
更に、仕切盤３は箱体１内部に納置し、辺縁片３２１は箱体１上縁の凹陷環溝１２３に嵌合して環状側壁板１２と相互に接合し、各側板２２は環状側壁板１２と周辺側壁板３２の間に配置する。各側板２３は辺縁片３２１で押さえて支持し、環状側壁板１２と各側板２２が共に辺縁片３２１で押さえて支持し、紙箱構造１０に充分な厚みを備えて仕切盤３を支持し、紙箱構造１０に仕分け収納の効果を達成する。
【００２７】
この他、紙折り部品２の厚みは０.３５mm以上であり、即ち各側板２２と基板２１の厚みがそれぞれ０.３５mm以上であり、各側板２３が安定して辺縁片３２１で支持する。
【００２８】
上述のとおり、本考案の紙折り層を備えた紙箱構造は確かに予定の使用目的を達成し、公知の欠点を改善することができる。更に産業利用性、新規性、進歩性を備えることから、完全に実用新案登録申請の要件を備える。
【符号の説明】
【００２９】
１０      紙箱構造
１      箱体
１１      底板
１２      環状側壁板
１２１      直平片
１２２      導角片
１２３      凹陷環溝
１３      導角環段
２      紙折り部品
２１      基板
２１１      相対側
２２      側板
２２１      側辺
２３      折線
２４      折曲部
３      仕切盤
３１      支持板
３２      周辺側壁板
３２１      辺縁片
４      蓋板
Ｓ      スペース
【図１】
0003193974.tif 000003
【図２】
0003193974.tif 000004
【図３】
0003193974.tif 000005
【図４】
0003193974.tif 000006
【図５】
0003193974.tif 000007
【図６】
0003193974.tif 000008
【図７】
0003193974.tif 000009